(57)【要約】【課題】使い捨て環状切除デバイスを提供すること。【解決手段】陰茎から組織を除去する環状切除システムであって、長手方向軸とロッキングリングとを規定するねじ切り穴を有するハウジングであって、該ロッキングリングは内部ねじ切りを有する、ハウジングと、ねじ切り穴を通って延びる作動機構であって、作動機構は一連の針を有する、作動機構と、一連の針の各々の遠位端に除去可能に取り付けられる縫合糸と、アンビルであって、アンビルは、長手方向軸と同軸で位置を定められる通路と、該内部ねじ切りに相補的であるように構成される外部ねじ切りとを有し、カラーの形状である、アンビルと、作動機構に接続される円形の刃を有するナイフと、アンビルに解放可能に取り付けられる縫合糸リテイナとを備えている、環状切除システム。【選択図】図１
2011147771.tif 000002
【特許請求の範囲】
【請求項１】
陰茎から組織を除去する環状切除システムであって、
長手方向軸とロッキングリングとを規定するねじ切り穴を有するハウジングであって、該ロッキングリングは内部ねじ切りを有する、ハウジングと、
該ねじ切り穴を通って延びる作動機構であって、該作動機構は一連の針を有する、作動機構と、
該一連の針の各々の遠位端に除去可能に取り付けられる縫合糸と、
アンビルであって、該アンビルは、該長手方向軸と同軸で位置を定められる通路と、該内部ねじ切りに相補的であるように構成される外部ねじ切りとを有し、カラーの形状である、アンビルと、
該作動機構に接続される円形の刃を有するナイフと、
該アンビルに解放可能に取り付けられる縫合糸リテイナと
を備えている、環状切除システム。
【請求項２】
前記縫合糸および前記縫合糸リテイナは、吸収可能な生体適合材料から構成される、請求項１に記載の環状切除システム。
【請求項３】
前記一連の針の各々は、先細の端部と、該先細の端部を通り、前記縫合糸を受け入れ、取り外し可能に該縫合糸を保持するように構成される溝とを有する、請求項１に記載の環状切除システム。
【請求項４】
前記縫合糸リテイナは通路を有し、該通路は、実質的に円筒形の孔と、該円筒形の孔から放射状に延び、正反対に向かい合うスロットとを規定し、
該実質的に円筒形の孔は、該孔を通って前記針のうちの１つを除去可能に受け入れるように構成され、該正反対に向かい合うスロットは該針を該縫合糸リテイナから除去している間および除去した後に該縫合糸を固定するよう構成される制限部分を有する、請求項３に記載の環状切除システム。
【請求項５】
前記作動機構の遠位端に取り付けられるカートリッジをさらに備え、該作動機構は、前記ハウジングに対して該カートリッジの長手方向の移動を可能にするように構成される、請求項１に記載の環状切除システム。
【請求項６】
前記アンビルは、第１の部分と第２の部分とを有し、該第１の部分および該第２の部分の各々は、一緒に取り付けられるとカラーの形状を形成する相補的部分品である、請求項１に記載の環状切除システム。
【請求項７】
前記アンビルの前記第１の部分はオスフィッティングを有し、該アンビルの前記第２の部分はメスフィッティングを有し、該メスフィッティングは、該オスヒッティングを受け入れ、該オスヒッティングを解放可能に保持するように構成される、請求項６に記載の環状切除システム。
【請求項８】
前記外部ねじ切りの一部分は、前記アンビルの前記第１および第２の部分の各々の近位端の周りに形成される、請求項７に記載の環状切除システム。
【請求項９】
前記アンビルは、一連のアクセス窓を有する、請求項１に記載の環状切除システム。
【請求項１０】
前記ハウジングは、前記外部ねじ切りが該ハウジングの中に所定の深さを越えて貫くことを防ぐストッパを有する、請求項１に記載の環状切除システム。
【請求項１１】
前記ハウジングは、前記一連の針に対して前記アンビルの適切な位置決めを確実にするためにガイド溝を有する、請求項１０に記載の環状切除システム。
【請求項１２】
前記ハウジングは、外部表面を有し、前記アンビルは、該ハウジングの該外部表面と密接に補完するように構成される内部表面を有する、請求項１に記載の環状切除システム。
【請求項１３】
前記縫合糸は、リングの形状を有する、請求項１に記載の環状切除システム。
【請求項１４】
前記溝は、円形に整列させられる、請求項１に記載の環状切除システム。
【請求項１５】
前記作動機構は、ジャッキングねじである、請求項１に記載の環状切除システム。
【請求項１６】
前記アンビルは、切断リングをさらに備えている、請求項１に記載の環状切除システム。
【発明の詳細な説明】
【技術分野】
【０００１】
（背景）
（技術分野）
本出願は、概して環状切除の分野に関する。より詳細には、本開示は、非外傷のアプローチおよび環状切除された陰茎内に縫合糸を停留させることによる、陰茎から過剰の包皮（ｆｏｒｅｓｋｉｎ）または包皮（ｐｒｅｐｕｃｅ）を外科手術で除去する方法およびデバイスに関する。
【背景技術】
【０００２】
（関連技術）
従来の環状切除は、通常、外科医および少なくともひとりの助手から成る外科手術チームによって行われる。チームは、陰茎の亀頭を覆う過剰の包皮を切断し、包皮の切断縁を縫い合わせる。従来の環状切除手術が消費する平均手術時間はおおよそ半時間であり、この時間間隔は手術としては比較的長いと考えられる。
【０００３】
従来の環状切除クランプは、外科手術中に激しい出血を引き起こすという点で別の不利益を有する。概して、ほとんどの患者は、環状切除手術中に不安を感じる。手術中患者の陰茎は、ほとんど自然に萎えた状態である。
【発明の概要】
【発明が解決しようとする課題】
【０００４】
（概要）
本開示は、過剰な包皮（ｆｏｒｅｓｋｉｎ）または包皮（ｐｒｅｐｕｃｅ）を陰茎から外科手術で除去する使い捨て環状切除デバイスに関する。使い捨て環状切除デバイスは、ハウジングと、作動機構と、アンビルとを含む。
【課題を解決するための手段】
【０００５】
ハウジングは、長手方向軸とロッキングリングとを規定するねじ切り穴を有する。ロッキングリングは、内部ねじ切りを有する。
【０００６】
作動機構は、ねじ切り穴を通って延びるジャッキングねじを含む。
【０００７】
カートリッジが、作動機構の遠位端に回転可能に取り付けられる。作動機構は、ハウジング対してカートリッジの長手方向の移動を提供することが可能である。カートリッジは、縫合糸を可動に保持する一連の針を有する。縫合糸は、一連の針の各々の遠位端に除去可能に保持される。一連の針の各々は、先細の端部と、縫合糸を受け入れ、縫合糸を分離可能に保持する先細の端部を通る溝とを有する。一連の針における溝の各々は、リングの形状で縫合糸を受け入れるために円形に整列させられる。
【０００８】
ナイフが作動機構に接続される。ナイフは円形の刃を有する。
【０００９】
アンビルは、長手方向軸と同軸で位置を定められる通路と、ロッキングリングの内部ねじ切りと相補的である外部ねじ切りとを有する。アンビルはカラーの形状をしている。アンビルは、一連のアクセスウィンドーと、切断リングとを有する。
【００１０】
少なくとも１つの縫合糸リテイナは、アンビルに解放可能に取り付けられる。縫合糸リテイナは通路を有する。通路は、実質的に円筒形の孔と、円筒形の孔から放射状に外側に延びる２つの正反対に向かい合うスロットとを含む。実質的に円筒形の孔は、その孔を通って針のうちの１つを除去可能に受け入れる。正反対に向かい合うスロットは、針を縫合糸リテイナから除去している間および除去した後に、縫合糸リテイナ内に縫合糸を固定する制限部分を有する。
【００１１】
アンビルは、第１の部分と第２の部分とを有する。第１の部分および第２の部分の各々は、一緒に取り付き、カラーの形状を形成する相補的部分品である。アンビルの第１の部分は少なくとも１つのオスフィッティングを有し、アンビルの第２の部分は少なくとも１つのメスフィッティングを有する。メスフィッティングは、オスヒッティングを受け入れ、オスヒッティングを解放可能に保持する。外部ねじ切りの一部分は、アンビルの第１および第２の部分の各々の近位端の周りに形成される。
【００１２】
ハウジングは、外部ねじ切りがハウジングの中に所定の深さを越えて貫くことを防ぐストッパを有する。ハウジングは外部表面を有する。アンビルは、ハウジングの外部表面と密接に補完する内部表面を有する。ハウジングは、一連の針に対してアンビルの適切な位置決めを確実にする少なくとも１つのガイド溝を有する。
【００１３】
縫合糸および縫合糸リテイナの両方とも、吸収可能な生体適合材料から構成され得る。
【００１４】
全範囲の陰茎サイズをカバーするために、キットにおいて２つ以上のサイズの器具を提供することが可能である。
【００１５】
使い捨て可能な環状切除デバイスの使用法もまた提供される。外科医は使い捨ての環状切除デバイスが提供される。２つのアンビルの半分は、一緒にスナップ留めされ、陰茎の上から亀頭の下に滑り下ろされる。カートリッジは、包皮がハウジングの一部の上に伸ばされている状態で、露出された亀頭の上および包皮の下に設置される。アンビルは、ここでカートリッジまで滑らされ、ねじ切りロッキングリングによって固定される。この時点で、ロッキングリングは、部分的のみに回転させられ、カートリッジを完全にクランプすることを避ける。
【００１６】
過剰の包皮は、包皮の所望の張りが到達されるまで、カートリッジの上に伸ばされる。アンビルにおけるアクセスウィンドーは、包皮に容易にアクセスを可能にする。ここでカートリッジは、ロッキングリングを締め付けることによって完全にクランプされ得る。
【００１７】
デバイスは、ジャッキングねじのノブを第１の方向に回すことによって発射させられる。この時点で、縫合糸を有する針は、皮膚を貫いてリテイナ中に完全に追い込まれ、ナイフは、包皮を同時に切り裂く。
【００１８】
縫合糸リテイナ内に縫合糸４６を設置することと、包皮の分離とが完了すると、カートリッジ４３を後退させるために反対または第２の方向にノブを逆に回すことによって、針およびナイフはリテイナから除去される。デバイスは、次いでロッキングリングのねじを緩めて外し、縫合糸リテイナを陰茎に付着したまま、２つのアンビル半分を分離することによって除去される。任意の縫合糸の超過部分は切り取られ得る。
【００１９】
環状切除法はまた、２つ以上のサイズで環状切除システムを提供するステップをさらに含み得る。
【００２０】
本明細書に組み込まれ、本明細書の一部を形成する添付の図面は、説明を参照して見られるとき本開示を例示する。
【００２１】
例えば、本発明は以下の項目を提供する。
（項目１）
陰茎から組織を除去する環状切除システムであって、
長手方向軸とロッキングリングとを規定するねじ切り穴を有するハウジングであって、該ロッキングリングは内部ねじ切りを有する、ハウジングと、
該ねじ切り穴を通って延びる作動機構であって、該作動機構は一連の針を有する、作動機構と、
該一連の針の各々の遠位端に除去可能に取り付けられる縫合糸と、
アンビルであって、該アンビルは、該長手方向軸と同軸で位置を定められる通路と、該内部ねじ切りに相補的であるように構成される外部ねじ切りとを有し、カラーの形状である、アンビルと、
該作動機構に接続される円形の刃を有するナイフと、
該アンビルに解放可能に取り付けられる縫合糸リテイナと
を備えている、環状切除システム。
（項目２）
上記縫合糸および上記縫合糸リテイナは、吸収可能な生体適合材料から構成される、上記項目のいずれかに記載の環状切除システム。
（項目３）
上記一連の針の各々は、先細の端部と、該先細の端部を通り、上記縫合糸を受け入れ、取り外し可能に該縫合糸を保持するように構成される溝とを有する、上記項目のいずれかに記載の環状切除システム。
（項目４）
上記縫合糸リテイナは通路を有し、該通路は、実質的に円筒形の孔と、該円筒形の孔から放射状に延び、正反対に向かい合うスロットとを規定し、
該実質的に円筒形の孔は、該孔を通って上記針のうちの１つを除去可能に受け入れるように構成され、該正反対に向かい合うスロットは該針を該縫合糸リテイナから除去している間および除去した後に該縫合糸を固定するよう構成される制限部分を有する、上記項目のいずれかに記載の環状切除システム。
（項目５）
上記作動機構の遠位端に取り付けられるカートリッジをさらに備え、該作動機構は、上記ハウジングに対して該カートリッジの長手方向の移動を可能にするように構成される、上記項目のいずれかに記載の環状切除システム。
（項目６）
上記アンビルは、第１の部分と第２の部分とを有し、該第１の部分および該第２の部分の各々は、一緒に取り付けられるとカラーの形状を形成する相補的部分品である、上記項目のいずれかに記載の環状切除システム。
（項目７）
上記アンビルの上記第１の部分はオスフィッティングを有し、該アンビルの上記第２の部分はメスフィッティングを有し、該メスフィッティングは、該オスヒッティングを受け入れ、該オスヒッティングを解放可能に保持するように構成される、上記項目のいずれかに記載の環状切除システム。
（項目８）
上記外部ねじ切りの一部分は、上記アンビルの上記第１および第２の部分の各々の近位端の周りに形成される、上記項目のいずれかに記載の環状切除システム。
（項目９）
上記アンビルは、一連のアクセス窓を有する、上記項目のいずれかに記載の環状切除システム。
（項目１０）
上記ハウジングは、上記外部ねじ切りが該ハウジングの中に所定の深さを越えて貫くことを防ぐストッパを有する、上記項目のいずれかに記載の環状切除システム。
（項目１１）
上記ハウジングは、上記一連の針に対して上記アンビルの適切な位置決めを確実にするためにガイド溝を有する、上記項目のいずれかに記載の環状切除システム。
（項目１２）
上記ハウジングは、外部表面を有し、上記アンビルは、該ハウジングの該外部表面と密接に補完するように構成される内部表面を有する、上記項目のいずれかに記載の環状切除システム。
（項目１３）
上記縫合糸は、リングの形状を有する、上記項目のいずれかに記載の環状切除システム。
（項目１４）
上記溝は、円形に整列させられる、上記項目のいずれかに記載の環状切除システム。
（項目１５）
上記作動機構は、ジャッキングねじである、上記項目のいずれかに記載の環状切除システム。
（項目１６）
上記アンビルは、切断リングをさらに備えている、上記項目のいずれかに記載の環状切除システム。
（項目１７）
組織を除去するために陰茎を環状切除する方法であって、
環状切除するシステムを提供するステップであって、該システムは、
ハウジングと、
該ハウジングを通って延びる作動機構と、
該ハウジングに除去可能に取り付けられるように構成されるアンビルと、
該作動機構に除去可能に取り付けられる縫合糸と、
該アンビルに除去可能に取り付けられる縫合糸リテイナと
を含む、ステップと、
該陰茎の上に該陰茎の亀頭より下の位置に該アンビルを滑らすステップと、
該ハウジングに該アンビルを固定するステップと、
該ハウジングの遠位部分の上に該組織を伸ばすステップと、
該作動機構を遠位位置に完全に延ばすことによって、該環状切除システムを発射するステップと、
該陰茎から該環状切除システムを除去するステップと
を包含する、方法。
（項目１８）
該アンビルは、少なくとも２つの部分品で提供される、上記項目のいずれかに記載の方法。
（項目１９）
上記少なくとも２つの部分品は、単一のアンビルユニットに組み立てられるステップをさらに包含する、上記項目のいずれかに記載の方法。
（項目２０）
上記作動機構を近位位置に戻すステップをさらに包含する、上記項目のいずれかに記載の方法。
（項目２１）
２つ以上のサイズで上記環状切除システムを提供するステップをさらに包含する、上記項目のいずれかに記載の方法。
【００２２】
（摘要）
過剰な包皮を陰茎から除去する環状切除システムは、開示され、ハウジングと、作動機構と、アンビルとを含む。ハウジングは、長手方向軸と、ロッキングリングとを規定するねじ切り穴を有する。ロッキングリングは、内部ねじきりを有する。作動機構はねじ切り穴を通って延び、一連の針を有する。縫合糸は、一連の針の各々の遠位端に除去可能に取り付けられる。一連の針の各々は、先細の端部と、先細の端部を通って縫合糸を受け入れ分離可能に保持するように構成される溝とを有する。ナイフは、作動機構に接続される。ナイフは円形の刃を有する。アンビルは、長手方向軸と同軸で位置を定められる通路と、内部ねじ切りと相補的であるように構成される外部ねじ切りとを有する。アンビルはカラーの形状をしている。
【図面の簡単な説明】
【００２３】
【図１】図１は、本開示の原理に従う使い捨ての環状切除デバイスの斜視図であり、ハウジングと、作動機構と、アンビルとを例示する。
【図２】図２は、図１のデバイスの斜視図であり、アンビルの２つの部分を例示する。
【図３】図３は、部品が分離された状態における、図１および図２のデバイスの分解組立斜視図である。
【図４】図４は、図３の指示された領域においてとられた、図１のデバイスの針ガイド、針、および縫合糸の拡大斜視図である。
【図５】図５は、針および縫合糸の分解組立斜視図である。
【図６】図６は、縫合糸リテイナの平面図である。
【図７】図７は、図３の指示された領域においてとられた、図１のデバイスのアンビルおよび縫合糸リテイナの拡大斜視図である。
【図８】図８は、図６の断面線８−８に沿ってとられた縫合糸リテイナの側断面図である。
【図９】図９は、図１の断面線９−９に沿ってとられた、図１のデバイスの側断面図である。
【図１０】図１０は、陰茎の上に組み立てられているアンビルの２つの部分の斜視図である。
【図１１】図１１は、陰茎の上に配置されたカラーの形状のアンビルの斜視図である。
【図１２】図１２は、ハウジングの遠位の本体部分の上に近位に延びる包皮を例示する破断図である。
【図１３】図１３は、図１２の断面線１３−１３に沿ってとられた、ハウジングの遠位の本体部分の上に近位に延びる包皮を例示する部分側断面図である。
【図１４】図１４は、デバイスの発射および陰茎からの包皮の分離を例示する部分側断面図である。
【図１５】図１５は、図１４の指示された領域においてとられた、図１のデバイスの前進した位置における針およびナイフを例示する部分側断面図である。
【図１６】図１６は、図１５の断面線１６−１６に沿ってとられた、図１の組織内に配置された針および縫合糸の断面図である。
【図１７】図１７は、アンビルの部分の互いの分離およびハウジングからの分離を例示する斜視図である。
【図１８】図１８は、図１７の指示された領域においてとられた、図１のデバイスの組織内において縫合糸リテイナによって抑えられている縫合糸を例示する側部分破断図である。
【図１９】図１９は、本開示の別の実施形態の原理に従うデバイスのキットの斜視図である。
【発明を実施するための形態】
【００２４】
本開示の他の特徴は、添付の図面に関連して理解されると、以下の詳細な説明から明らかとなり、添付の図面は、例として本開示の原理を示す。
【００２５】
（実施形態の詳細な説明）
ここで開示される使い捨ての環状切除デバイスおよび使用法の実施形態は、図面を参照して詳細に説明され、図面において同様の参照数字は、いくつかの図の各々において同一かまたは対応する要素を示す。本明細書において用いられる場合、用語「遠位」は、ユーザからより遠くに離れている、環状切除デバイスの部分または環状切除デバイスの構成要素をいい、一方、用語「近位」は、ユーザにより近い、環状切除デバイスの部分または環状切除デバイスの構成要素をいう。
【００２６】
ここで図面を参照すると、図面において同様の参照数字は、いくつかの図の全体を通して主題のデバイスと同一または類似の構造要素を識別し、参照数字１０によって全体的に示される使い捨ての環状切除デバイスが、図１に例示される。使い捨ての環状切除デバイスは、ハウジング２０と、作動機構４０と、カートリッジ４３と、アンビル６０とを含む。
【００２７】
ここで図２、図３、および図９を参照すると、ハウジング２０は、本体２１とロッキングリング２２とを含む。本体２１は、長手方向軸「ｘ」−「ｘ」を規定するねじ切り穴２４を有する。本体２１は、円筒形の形状であり、保持フランジ２８と、保持フランジ２８から外側に放射状に延びる支持フランジ３１とを有する。凹部２９は、保持フランジ２８を支持フランジ３１から分離する。
【００２８】
図３に示されるように、本体２１は、外部表面２３を有し、外部表面２３は、ロッキングリング２２から放射状に内側にあり、ロッキングリング２２を越えて遠位に延びる。外部表面２３は、外側周囲の周りに一連の外部ガイド溝３３を有する。ロッキングリング２２は、保持フランジ２８または支持フランジ３１のいずれかの外径より小さい内径を有する。
【００２９】
ロッキングリング２２の内径は、凹部２９の外径より大きい。その結果、ロッキングリング２２は、ハウジング２０の本体２１に回転可能に固定される。リッキングリング２２は、本体２１の中に圧入され得る。ロッキングリング２２は、本体２１の外部表面２３から放射状に外側に位置を定められる内部ねじ切り２５を有する。
【００３０】
ここで図９を参照すると、作動機構４０は、ジャッキングねじ４１の近位端５０に固定されるノブ４９を含む。ジャッキングねじ４１は、本体２１にあるねじ切り穴２４を通って延びる。ジャッキングねじ４１は、ハウジング２０のねじ切り穴２４に対して相補的なねじ切り５６を有する。ステム５４は、ジャッキングねじ４１から遠位に延びる。バルブ（ｂｕｌｂ）５５は、ステム５４の遠位端の周りに位置を定められる。
【００３１】
引続き図３および図９を参照すると、カートリッジ４３は、ハウジング２０の本体２１内に配置される。本体２１は、カートリッジ４３上の一連の内部ガイド突出部５７を補完する一連の内部ガイド溝３４を有する。内部ガイド溝３４と内部ガイド突出部５７との組み合わせは、一緒に働き、ハウジング２０に対して所定の整列位置にカートリッジ４３を保つ。
【００３２】
カートリッジ４３は、保持リング３０によってジャッキングねじ４１の遠位端４２に回転可能に取り付けられる。保持リング３０は、ステム５４から放射状に外側に、そしてバルブ５５から近位に位置を定められる。保持リング３０は、ステム５４の周りに適合するような大きさで作られるが、バルブ５５は、保持リング３０を通過するには大き過ぎる。
【００３３】
カートリッジ４３は、キャップ４４と、一連の針４５と、１本の縫合糸材料３９と、ナイフ４７とを含む。キャップ４４は、穴７３と保持凹部７４とを有する。穴７３は、保持リング３０より小さい大きさで作られる。保持凹部７４は、保持凹部７４に保持リング３０を受け入れる大きさで作られる。保持リング３０は、穴７３の中に圧入されるので放射状に圧縮され、保持凹部７４内において拡張する。その結果、保持リング３０は、保持凹部７４内に保持され、穴７３内においてバルブ５５を捕捉する。
【００３４】
ジャッキングねじ４１は、ハウジング２０に対して長手方向軸「ｘ」−「ｘ」に沿ってカートリッジ４３が遠位へ移動することを可能にするように構成される。カートリッジ４３は、ノブ４９を回すことによって両方の方向に駆動される。ノブ４９が第１の方向「ａ」に回されると、カートリッジ４３は、アンビル６０の方に遠位に前進させられる。前進するカートリッジ４３は、同時に、キャップ４４と、一連の針４５と、縫合糸材料３９と、ナイフ４７とを前進させる。
【００３５】
本出願と同日に出願され、その内容全体が本明細書に援用される、名称が「ＳＵＴＵＲＥ  ＡＮＤ  ＲＥＴＡＩＮＥＲ  ＡＳＳＥＮＢＬＹ  ＡＮＤ  ＳＵＬＵ」である同時係属中の出願（代理人整理番号Ｈ−ＵＳ−０１８８４（２０３−６６４０））は、本明細書において説明される１つ以上の本開示の実施形態を含むように構成され得る。
【００３６】
一連の針４５は、キャップ４４の内部から遠位に延び、長手方向軸「ｘ」−「ｘ」の周囲に配置される。ここで図５を参照すると、針４５の各々は、先細の近位端５１と、先細の近位端５１を横断する溝５２とを有し、溝５２は、溝５２に縫合糸材料３９の一部分を受容し、除去可能に保持する。針４５は、各針４５における溝５２が隣接して位置を定められる少なくとも１つの他の針４５の溝５２に整列するように配置される。
【００３７】
縫合糸材料３９は、複数の個々の部分または縫合糸４６を有する。縫合糸４６は、互いの方に移行し、各針４５間にループを形成する。
【００３８】
針ガイド２６は、本体２１内に配置され得、前進中、針４５を安定させ得る。第２の方向「ｂ」にノブ４９を回すことは、カートリッジ４３を近位に戻し、キャップ４４と、一連の針４５と、ナイフ４７とを後退させる。ナイフ４７は、長手方向軸「ｘ」−「ｘ」の周りに同軸で位置を定められる円形の刃４８を有する。
【００３９】
アンビル６０は、カラー６１の形状をしており、長手方向軸「ｘ」−「ｘ」に沿って同軸で位置を定められる長手方向通路６２を有する。
【００４０】
アンビル６０は、第１の部分６５と第２の部分６６とを有する。第１の部分６５および第２の部分６６は、カラー６１の相補的部分品を形成する。第１の部分６５および第２の部分６６は、２つの同一のＣ形状の部品であり得る。アンビル６０の第１の部分６５は少なくとも１つのオスフィッティング６７を有し、アンビル６０の第２の部分６６は少なくとも１つのメスフィッティング６８を有する。メスフィッティング６８は、オスフィッティング６７を受け入れ、解放可能に保持する。オスフィッティング６７およびメスフィッティング６８は、スナップ留め特徴を提供し得、スナップ留め特徴は、干渉フィットを提供し、組み立て時、第１の部分６５および第２の部分６６を一時的に一緒に保ち、単一の丸いアンビル６０を形成する。外部ねじ切り６３は、アンビル６０の第１の部分６５および第２の部分６６の各々の遠位端の周りに形成される。ロッキングリング２２は、アンビル６０の第１の部分６５および第２の部分６６を一緒にハウジング２０に固定する。
【００４１】
ここで図６〜図８を参照すると、アンビル６０の各部分は、部分が組み合わされたとき切断リング７０を形成する平らな円形部分を有する。切断リング７０に近位に、アンビル６０は、陰茎の上にデバイス１０を組み立て中、包皮にアクセスするための一連のアクセスウィンドー７１を有する。一連の縫合糸リテイナ７５は、アンビル６０における一連の凹部７７内に解放可能に保持される。一連の縫合糸リテイナ７５は、長手方向通路６２の周囲に配置される。
【００４２】
ここで図６および図８を参照すると、各リテイナ７５は、本体８２を通るアパーチャ７６を規定する本体８２を含む。アパーチャ７６の形状は、中央通路８１によって規定され、中央通路８１は、長手方向軸「ｙ」と、中央通路８１から放射状に外側に延びる一対の正反対に向かい合うスロット７８を規定する。アパーチャ７６は、本体８２において実質的に円形中心によって規定される断面がΘ形状の穴と、中心から放射状に外側に延びる向かい合う２つの向かい合う長方形とを形成する。中心通路８１は、実質的に一定の円筒形の形状を有し、その円筒形の形状は、円筒形の形状を通って針４５の通過を可能にするような大きさで作られる。各中央通路８１はアンビル６０において穴７９と整列させられ、穴７９は穴７９に針４５のうちの１つを解放可能に受け入れる。
【００４３】
ねじれた通路部分８０は、スロット７８から延びる２つの突出部８３ａ、８３ｂによって規定される。各突出部８３ａ、８３ｂは、スロット７８の側壁のうちの１つから延びる。２つの突出部８３ａ、８３ｂの各々は、近位表面８４と、遠位表面８５と、頂点８６とを有する。近位表面８４は、長手方向軸「ｙ」と交差する遠位表面８５によって形成される角度より大きい角度を長手方向軸「ｙ」に対して形成する。その結果、遠位表面８５の面積は、近位表面８４の面積より大きい。ねじれた通路部分８０は、第１の方向「ｃ」に縫合糸４６の部分の通過を可能にし、第２の方向「ｄ」に縫合糸４６の部分の通過を妨げる。
【００４４】
外部ねじ切り６３は、アンビル６０の周りに位置を定められ、ロッキングリング２２の内部ねじ切り２５に相補的である。アンビル６０は、ハウジング２０の外部表面２３に相補的であるように構成される内部表面６４を有する。アンビル６０の第１の部分６５および第２の部分６６上の外部ガイディング突出部６９は、本体２１の外部表面２３上の外部ガイド溝３３と整列し、針４５と対応する縫合糸リテイナ７５との適切な整列を確実にする。ハウジング２０は、外部ねじ切り６３がハウジング２０の中に所定の深さを越えて貫通することを防ぐ停止部２７を有する。
【００４５】
縫合糸４６および縫合糸リテイナ７５の両方は、吸収可能な生体適合性材料から構成され得る。
【００４６】
ここで図１０〜図１２を参照すると、余分な包皮（ｆｏｒｅｓｋｉｎ）または包皮（ｐｒｅｐｕｃｅ）を陰茎から除去する、陰茎を環状切除する使い捨て環状切除デバイスの使用法が提供される。外科医は、使い捨て環状切除デバイスが提供される。アンビル６０の第１の部分６５および第２の部分６６は、一緒にスナップ留めされ、陰茎の上から亀頭の下に滑り下ろされる。ハウジング２０は、包皮がハウジングの一部の上に配置されている状態で、露出された亀頭の上および包皮の下に設置される。アンビル６０は、ここでカートリッジ４３まで滑らされ、ねじ切りロッキングリング２２によって固定される。この時点で、ロッキングリング２２は、部分的のみに回転させられ、カートリッジ４３を完全にクランプすることを避ける。
【００４７】
ここで図１３を参照すると、過剰の包皮は、包皮の張りが到達されるまで、カートリッジ４３の上に完全に伸ばされる。アンビル６０におけるアクセスウィンドー７１は、包皮に容易にアクセスを可能にする。ここでカートリッジ４３は、ロッキングリング２２を締め付けることによって完全にクランプされ得る。
【００４８】
ここで図１４〜図１６を参照すると、デバイスは、第１の方向「ａ」に端部の最後までノブ４９を回すことによって発射させられる。カートリッジ４３が遠位に配置されているとき、ナイフ４７が陰茎から包皮を切り裂くと、縫合糸４６を有する針４５は、皮膚を貫いてリテイナ７５の中に完全に追い込まれる。その結果、陰茎は、同時に、縫合され、環状切除される。
【００４９】
ここで図１７を参照すると、縫合糸リテイナ７５内に縫合糸４６を設置することと、包皮の分離とが完了すると、カートリッジ４３を後退させるために反対または第２の方向「ｂ」にノブ４９を回すことによって、針４５およびナイフ４７はリテイナ７５から除去される。次いでデバイスは、ロッキングリング２２のねじを緩めて外し、陰茎の周りに縫合糸リテイナ７５内に縫合糸４６を残したまま、２つのアンビル部分６５、６６を分離することによって除去される。任意の縫合糸４６の超過部分は次いで切り取られ得る。
【００５０】
ここで図１８を参照すると、縫合糸４６は、縫合糸リテイナ７５内に固定され、力「Ｆ」を加えることによって組織を一緒にして保持する。
【００５１】
ここで図１９を参照すると、環状切除法は、また２つ以上のサイズで環状切除システム５を提供するステップも含み得る。キット１００は、小型環状切除システム１０と、中型環状切除システム１１０と、大型環状切除システム２１０とを含み得る。
上記の様々な図面からそしてそれらの図面を参照して、当業者は、特定の修正がまた本開示の範囲から逸脱することなく本開示に対してなされ得ることを理解する。本開示のいくつかの実施形態が、図面に示されたが、本開示がそれらの実施形態に限定されることは意図されないで、開示は技術が許容される限りできるだけ広くあるべきこと、および明細書は同様に読まれるべきことが意図される。従って、上記の説明は、限定することとしてではなく、単に特定の実施形態の例示として解釈されるべきである。当業者は、本明細書に添付された特許請求の範囲の範囲および精神内における他の修正を想定する。
【符号の説明】
【００５２】
１０  使い捨て環状切除デバイス
２０  ハウジング
２１  本体
２２  ロッキングリング
２３  外部表面
２４  ねじ切り穴
２８  保持フランジ
３１  支持フランジ
４０  作動機構
４３  カートリッジ
６０  アンビル
【図１】
2011147771.tif 000003
【図２】
2011147771.tif 000004
【図３】
2011147771.tif 000005
【図４】
2011147771.tif 000006
【図５】
2011147771.tif 000007
【図６】
2011147771.tif 000008
【図７】
2011147771.tif 000009
【図８】
2011147771.tif 000010
【図９】
2011147771.tif 000011
【図１０】
2011147771.tif 000012
【図１１】
2011147771.tif 000013
【図１２】
2011147771.tif 000014
【図１３】
2011147771.tif 000015
【図１４】
2011147771.tif 000016
【図１５】
2011147771.tif 000017
【図１６】
2011147771.tif 000018
【図１７】
2011147771.tif 000019
【図１８】
2011147771.tif 000020
【図１９】
2011147771.tif 000021